(57)【要約】【課題】押鍵時における所望のタッチ重さを確保しながら、重りを合成樹脂製の鍵本体に容易に取り付けることができるとともに、安価に作製することができる鍵盤楽器の鍵を提供する。【解決手段】合成樹脂から成り、前後方向に延びるとともに、下方に開口する凹部７を有する回動自在の鍵本体２と、主材料が弾性を有する材料から成り、凹部７に収容された状態で鍵本体２に取り付けられた重り３と、を備えており、凹部７の開口縁部には、重り３が鍵本体２に取り付けられる際に重り３が弾性変形しながら凹部７に収容されるのを許容するとともに、収容された重り３を抜け止め状態に係止する係止部８ａが突設されている。【選択図】図１
2014191255.tif 000002
【特許請求の範囲】
【請求項１】
合成樹脂から成り、前後方向に延びるとともに、下方に開口する凹部を有する回動自在の鍵本体と、
主材料が弾性を有する材料から成り、前記凹部に収容された状態で前記鍵本体に取り付けられた重りと、
を備えており、
前記凹部の開口縁部には、前記重りが前記鍵本体に取り付けられる際に当該重りが弾性変形しながら前記凹部に収容されるのを許容するとともに、当該収容された重りを抜け止め状態に係止する係止部が突設されていることを特徴とする鍵盤楽器の鍵。
【請求項２】
前記重りの主材料は、ゴムであることを特徴とする請求項１に記載の鍵盤楽器の鍵。
【請求項３】
前記重りの主材料は、所定種類の合成樹脂であることを特徴とする請求項１に記載の鍵盤楽器の鍵。
【請求項４】
前記重りは、主材料よりも比重の高い金属を含んでいることを特徴とする請求項１ないし３のいずれかに記載の鍵盤楽器の鍵。
【請求項５】
前記重りには、当該重りを前記凹部に収容する際に、当該重りを変形させるための切欠きが形成されていることを特徴とする請求項１ないし４のいずれかに記載の鍵盤楽器の鍵。
【請求項６】
前記重りは、取り付けられる前記鍵本体の音域に応じて、重さが設定されることを特徴とする請求項１ないし５のいずれかに記載の鍵盤楽器の鍵。
【発明の詳細な説明】
【技術分野】
【０００１】
本発明は、電子ピアノなどの鍵盤楽器の鍵に関し、特に押鍵時における所望のタッチ重さを得るために、合成樹脂製の鍵に重りを設けた鍵盤楽器の鍵に関する。
【背景技術】
【０００２】
従来、この種の鍵盤楽器の鍵として、例えば特許文献１に記載されたものが知られている。この鍵盤楽器の鍵は、前後方向に延び、後端部において回動自在に支持された合成樹脂製の鍵本体と、この鍵本体に取り付けられた重りとを備えている。鍵本体は、長さ方向に直交する横断面が下方に開放するコ字状に形成されており、ブロック状の重りが、鍵本体内の天井面及び左右の内面に接着剤を用いて接着されている。また、この鍵盤楽器では、重りの重さが音域に応じて異なるように設定されており、低音側の鍵では重く、高音側の鍵では軽くなっている。さらに、特許文献１には、インサート成形により、重りを鍵本体に内蔵するよう、これらを一体に成形することにより、鍵を作製することも記載されている。
【先行技術文献】
【特許文献】
【０００３】
【特許文献１】特開２００９−１０９６０１号公報
【発明の概要】
【発明が解決しようとする課題】
【０００４】
上述した従来の鍵盤楽器の鍵では、重りを接着によって鍵本体に取り付ける場合、重りの表面又は鍵本体の内面に接着剤を塗布し、鍵本体に重りを１つずつ取り付けなければならない。加えて、重りを鍵本体にしっかりと接着させるために、接着剤を硬化させる必要があり、その分、重りの取付けに時間がかかってしまう。一方、インサート成形によって、重りを有する鍵を作製する場合、重りの形状やサイズなどに応じて、複数種類の金型が必要になる。すなわち、鍵の音域に応じて重りの形状やサイズを異なるようにする場合には、同一機種の鍵盤楽器であっても、鍵の音域にそれぞれ対応する複数種類の金型が必要になってしまう。以上のように、接着やインサート成形によって重りを鍵本体に取り付ける場合、手間がかかり、鍵の製造コストが高くなってしまう。
【０００５】
本発明は、以上のような課題を解決するためになされたものであり、押鍵時における所望のタッチ重さを確保しながら、重りを合成樹脂製の鍵本体に容易に取り付けることができるとともに、安価に作製することができる鍵盤楽器の鍵を提供することを目的とする。
【課題を解決するための手段】
【０００６】
上記の目的を達成するために、請求項１に係る発明は、合成樹脂から成り、前後方向に延びるとともに、下方に開口する凹部を有する回動自在の鍵本体と、主材料が弾性を有する材料から成り、凹部に収容された状態で鍵本体に取り付けられた重りと、を備えており、凹部の開口縁部には、重りが鍵本体に取り付けられる際に重りが弾性変形しながら凹部に収容されるのを許容するとともに、収容された重りを抜け止め状態に係止する係止部が突設されていることを特徴とする。
【０００７】
この構成によれば、回動自在の合成樹脂製の鍵本体には、下方に開口する凹部が設けられ、この凹部の開口縁部に所定の係止部が突設されている。また、鍵本体に取り付けられる重りは、主材料が弾性を有する材料で構成されている。重りを鍵本体の凹部に収容した状態で取り付ける場合、重りを弾性変形させることにより、凹部への収容が許容される。換言すると、重りを弾性変形させずに、その状態のまま凹部に収容しようとしても、凹部の開口縁部に係止部が存在することにより、凹部への重りの収容が阻害される。また、重りを鍵本体の凹部に収容した状態では、凹部の開口縁部の係止部により、その重りは抜け止め状態に係止される。以上のように、本発明によれば、押鍵時における所望のタッチ重さを確保しながら、弾性変形可能な重りを合成樹脂製の鍵本体に容易に取り付けることができる。また、接着やインサート成形などによって重りを鍵本体に取り付ける従来に比べて、鍵を安価に作製することができる。
【０００８】
請求項２に係る発明は、請求項１に記載の鍵盤楽器の鍵において、重りの主材料は、ゴムであることを特徴とする。
【０００９】
この構成によれば、重りの主材料がゴムであるので、重りを鍵本体に取り付ける際に、その重りを弾性変形させながら、鍵本体の凹部に収容した状態に容易に取り付けることができる。
【００１０】
請求項３に係る発明は、請求項１に記載の鍵盤楽器の鍵において、重りの主材料は、所定種類の合成樹脂であることを特徴とする。
【００１１】
この構成によれば、重りの主材料として、弾性を有する所定種類の合成樹脂を採用することにより、上述した請求項２と同様の作用、効果を得ることができる。
【００１２】
請求項４に係る発明は、請求項１ないし３のいずれかに記載の鍵盤楽器の鍵において、重りは、主材料よりも比重の高い金属を含んでいることを特徴とする。
【００１３】
この構成によれば、重りが主材料よりも比重の高い金属を含んでいるので、その金属の種類や含有量を調整することにより、形状及びサイズが同じ重りであって、その重量を容易に調整することができる。
【００１４】
請求項５に係る発明は、請求項１ないし４のいずれかに記載の鍵盤楽器の鍵において、重りには、重りを凹部に収容する際に、重りを変形させるための切欠きが形成されていることを特徴とする。
【００１５】
この構成によれば、重りに形成された切欠きを狭めることなどにより、重りをより一層容易に弾性変形させることができ、それにより、鍵本体の凹部への重りの取付けも、より一層容易に行うことができる。
【００１６】
請求項６に係る発明は、請求項１ないし５のいずれかに記載の鍵盤楽器の鍵において、重りは、取り付けられる鍵本体の音域に応じて、重さが設定されることを特徴とする。
【００１７】
この構成によれば、重りの重さが、重りを取り付ける鍵本体の音域に応じて設定されるので、例えば、低音側では重く、高音側では軽くなるように設定することにより、アコースティックピアノの鍵に近似したタッチ重さを得ることができる。
【図面の簡単な説明】
【００１８】
【図１】本発明の一実施形態の鍵盤楽器の鍵を示しており、（ａ）は側面図、（ｂ）は鍵本体に取り付けられた重り及びその周囲を拡大して示す断面図、（ｃ）は（ｂ）のＣ−Ｃ線に沿って切断した断面図である。
【図２】重りを示す側面図である。
【図３】鍵本体への重りの取付け手順を説明するための説明図である。
【図４】重りの変形例を示す図である。
【発明を実施するための形態】
【００１９】
以下、図面を参照しながら、本発明の好ましい実施形態を詳細に説明する。図１（ａ）は、本発明の一実施形態による鍵盤楽器の鍵を示している。この鍵１は、電子ピアノなどの鍵盤に適用される白鍵であり、図示しない黒鍵とともに、左右方向（図の表裏方向）に多数（例えば８８鍵）並設されることにより、鍵盤を構成する。図１（ａ）に示すように、この鍵１は、前後方向（図の左右方向）に延びる鍵本体２と、この鍵本体２に取り付けられた重り３などを備えている。
【００２０】
鍵本体２は、所定種類の合成樹脂（例えばＡＳ樹脂、ＡＢＳ樹脂など）から成り、前後方向に延びる所定形状の成形品で構成されている。この鍵本体２の左右側面の後端部には、それぞれ左右方向に突出する支点凸部４、４（１つのみ図示）が設けられており、これらの支点凸部４、４が、鍵盤シャーシ（図示せず）に回動自在に支持されている。したがって、鍵１は、演奏者による押鍵操作に伴い、支点凸部４、４を中心として回動するようになっている。また、また、鍵本体２の左右の側壁２ａ、２ａの前端部には、下方に所定長さ延び、下端部が前方に突出する一対のストッパ５（１つのみ図示）が設けられており、これらのストッパ５の下端部が、鍵盤シャーシの上限規制部（図示せず）に下方から当接することにより、鍵１の上限位置が規制される。さらに、鍵本体２の前後方向の中央よりも前寄りの位置には、下方に所定長さ突出するハンマー押圧部６が設けられており、押鍵操作に伴い、このハンマー押圧部６でハンマー（図示せず）を押圧することにより、鍵１にそのハンマーによるタッチ重さが付与されるようになっている。
【００２１】
また、図１（ｂ）及び（ｃ）に示すように、鍵本体２の前端部には、上記ストッパ５とハンマー押圧部６との間に、重り３を収容した状態で取り付けるための重り取付け凹部７（凹部）が形成されている。この重り取付け凹部７は、下方に開口しており、鍵本体２の左右の側壁２ａ、２ａ間に連なるとともに互いに鍵本体２の長さ方向（前後方向）に所定間隔を隔てて配置され、下方に所定長さ延びる前壁８及び後壁９を有している。前壁８は、鍵本体２の左右の側壁２ａ、２ａ間に直線的に連なる一方、後壁９は、平面形状が後方に向かってテーパ状に形成されている。また、前壁８の下端部には、直角に屈曲して後方に所定長さ突出し、重り３を係止するための係止部８ａが突設されている。
【００２２】
重り３は、比重が比較的高い所定種類のゴム（例えばクロロプレンゴム、ブチルゴムなど）から成り、前後方向及び上下方向の長さ寸法が、重り取付け凹部７のそれらとほぼ同じであるとともに、重り取付け凹部７の横幅（図１（ｃ）の上下方向の幅）よりも小さい所定の厚さを有し、側面形状がほぼ横長矩形状に形成されている。より具体的には、図２に示すように、重り３には、下方に開放しかつ重り３の高さ寸法のほぼ１／２の深さを有する楔状の切欠き３ａが形成されており、この切欠き３ａよりも前側（図２の左側）部分（以下「重り前部３ｂ」という）は、重り３の長さ方向（図２の左右方向）のほぼ１／４に、切欠き３ａよりも後ろ側（図２の右側）部分（以下「重り後部３ｃ」という）は、重り３の長さ方向のほぼ３／４に設定されている。また、この重り３では、重り後部３ｃの高さ寸法が、重り前部３ｂのそれよりも大きくなっている。
【００２３】
なお、上記の重り３は、その厚さと同じ厚さを有する、比較的大きな板状のゴム板を、重り３の側面形状と同じ抜き型を用いて型抜きすることなどによって、作製される。
【００２４】
ここで、図３を参照して、鍵本体２の重り取付け凹部７への重り３の取付け手順について簡単に説明する。まず、同図（ａ）に示すように、鍵本体２の重り取付け凹部７に対し、その下方から重り前部３ｂを挿入する。なお、この場合、重り３を弾性変形させずに、その状態のまま重り取付け凹部７に収容しようとしても、その開口縁部に係止部８ａが存在することにより、重り取付け凹部７への重り３の収容が阻害される。
【００２５】
次いで、図３（ｂ）に示すように、重り前部３ｂを係止部８ａ上に載せるとともに、重り３を弾性変形させながら重り取付け凹部７に押し込む。この場合、重り３は、切欠き３ａが狭まりながら弾性変形し、重り取付け凹部７への収容が許容される。これにより、重り３は、同図（ｃ）に示すように、ほぼ全体が重り取付け凹部７に収容される。このように、重り取付け凹部７に収容された重り３は、その前面、上面及び後面両端部（図１（ｃ）参照）がそれぞれ、重り取付け凹部７の前面、天井面及び後面によって支持されるとともに、重り前部３ｂの下面が係止部８ａによって係止された状態で、鍵本体２にしっかりと取り付けられる。
【００２６】
以上のように、本実施形態によれば、主材料がゴムである重り３を弾性変形させながら、鍵本体２の重り取付け凹部７に収容することにより、その取付け凹部７の開口縁部の係止部８ａによって、重り３が抜け止め状態で係止される。これにより、押鍵時における所望のタッチ重さを確保しながら、重り３を鍵本体２に容易に取り付けることができる。また、接着やインサート成形などによって重りを鍵本体に取り付ける従来に比べて、鍵１を安価に作製することができる。
【００２７】
なお、本発明は、説明した上記実施形態に限定されることなく、種々の態様で実施することができる。図４は、重り３の変形例を例示している。同図（ａ）に示す重り３Ａは、重り３に対して、重り前部３ｂが同一であり、重り後部３ｃの高さ寸法が重り３のそれのほぼ１／２になっている。したがって、この重り３Ａは、重り３よりも軽く、重り３が取り付けられる鍵１よりも高音側の鍵１に取り付けられる。
【００２８】
また、図４（ｂ）に示す重り３Ｂは、重り３に対して、重り前部３ｂが同一であり、重り後部３ｃの高さ寸法が重り３のそれのほぼ３／２になっている。したがって、この重り３Ｂは、重り３よりも重く、重り３が取り付けられる鍵１よりも低音側の鍵１に取り付けられる。
【００２９】
さらに、図４（ｃ）に示す重り３Ｃは、外形が重り３と同一であるが、主材料であるゴムに、それよりも比重の高い所定種類（例えば鉄など）の金属粒が分散されている。また、同図（ｄ）に示す重り３Ｄは、重り後部３ｃに所定種類（例えば鉄など）の円柱状の金属が設けられている。したがって、これらの重り３Ｃ及び３Ｄは、重り３よりも重く、重り３が取り付けられる鍵１よりも低音側の鍵１に取り付けられる。また、重り３Ｃ及び３Ｄに含まれる金属の種類や含有量を調整することにより、重り３Ｃ及び３Ｄの重量を容易に調整することができる。
【００３０】
なお、上述した重り３及び変形例の重り３Ａ〜３Ｄは、主材料としてゴムを採用したが、本発明はこれに限定されるものではなく、主材料が弾性を有する他の材料、例えば所定種類の合成樹脂や発泡樹脂（例えば熱可塑性エラストマー、軟質ポリウレタン、ウレタンフォームなど）を採用することも可能である。また、実施形態で示した鍵本体２及び重り３の細部の構成などは、あくまで例示であり、本発明の趣旨の範囲内で適宜、変更することができる。
【符号の説明】
【００３１】
１    鍵
２    鍵本体
３    重り
３ａ  重りの切欠き
３ｂ  重り前部
３ｃ  重り後部
３Ａ  変形例の重り
３Ｂ  変形例の重り
３Ｃ  変形例の重り
３Ｄ  変形例の重り
７    重り取付け凹部（凹部）
８ａ  係止部
【図１】
2014191255.tif 000003
【図２】
2014191255.tif 000004
【図３】
2014191255.tif 000005
【図４】
2014191255.tif 000006